(57)【要約】【課題】被処理水を消毒するための消毒手段の冠水あるいは水没の可能性を確実に低減するのに有用な技術を提供する。【解決手段】被処理水に所定の処理を行う処理槽１２７と、処理槽１２７を通じて処理された被処理水１２７ａを消毒する消毒手段１２９と、消毒手段１２９によって消毒された被処理水１２９ａを貯留する貯水槽１３１とがハウジング内に設けられた浄化槽であって、処理槽１２７によって処理された被処理水１２７ａを消毒手段１２９へ供給するための被処理水移送手段１５５と、貯水槽１３１内の被処理水１３１ａによって消毒手段１２９が冠水または水没するのを防止するべく、貯水槽１３１内の被処理水１３１ａの水位上昇に基づいて、被処理水移送手段１５５による消毒手段１２９への被処理水１２７ａの供給を規制するよう構成された作動手段１６１を有する。【選択図】　　図４
2004097904.tif 000002
【特許請求の範囲】
【請求項１】
被処理水に所定の処理を行う処理槽と、当該処理槽を通じて処理された被処理水を消毒する消毒手段と、当該消毒手段によって消毒された被処理水を貯留する貯水槽とがハウジング内に設けられた浄化槽であって、
前記処理槽によって処理された被処理水を前記消毒手段へ供給するための被処理水移送手段と、
前記貯水槽内の被処理水によって前記消毒手段が冠水または水没するのを防止するべく、前記貯水槽内の被処理水の水位上昇に基づいて、前記被処理水移送手段による前記消毒手段への被処理水の供給を規制するよう構成された作動手段を有することを特徴とする浄化槽。
【請求項２】
請求項１に記載の浄化槽であって、
前記作動手段は、前記貯水槽内の被処理水の水位上昇によって上昇動作することにより、前記貯水槽内の被処理水によって前記消毒手段が冠水または水没するのを防止するべく、前記被処理水移送手段による前記消毒手段への被処理水の供給を規制するよう構成されることを特徴とする浄化槽。
【請求項３】
請求項１または２に記載の浄化槽であって、前記消毒手段は、前記貯水槽の上部側に配置されるとともに前記被処理水移送手段を介して供給された被処理水に消毒剤を混入して前記貯水槽に送る薬筒を有することを特徴とする浄化槽。
【請求項４】
請求項１から３までのいずれかに記載の浄化槽であって、前記被処理水移送手段は、可撓部が形成されるとともに前記処理槽から前記消毒手段に被処理水を移送する移送管を有し、前記作動手段は、前記貯水槽内の被処理水の水位上昇によって上昇動作するフロート部材を有し、当該フロート部材の上昇動作によって前記移送管の可撓部を撓ませ、これによって当該移送管による前記処理槽から前記消毒手段への被処理水の移送を規制することを特徴とする浄化槽。
【請求項５】
請求項４に記載の浄化槽であって、前記移送管の可撓部は、前記フロート部材によって撓まされた際に、前記被処理水のオーバーフロー水位よりも高位となるように設定されていることを特徴とする浄化槽。
【請求項６】
被処理水に所定の処理を行う処理槽と、当該処理槽を通じて処理された被処理水を消毒する消毒手段と、当該消毒手段によって消毒された被処理水を貯留する貯水槽とがハウジング内に設けられた浄化槽の使用方法であって、
前記貯水槽内の被処理水によって前記消毒手段が冠水または水没するのを防止すべく、前記貯水槽内の被処理水の水位上昇に基づいて前記処理槽から前記消毒手段への被処理水の供給を規制するステップを有することを特徴とする浄化槽の使用方法。
【発明の詳細な説明】
【０００１】
【発明の属する技術分野】
本発明は浄化槽の構築技術に関し、詳しくは被処理水を消毒するための消毒手段の冠水または水没の可能性を簡便かつ確実に低減するのに有用な浄化槽の構築技術に関する。
【０００２】
【従来の技術】
浄化槽の一例として、例えば浴室排水や雨水等の被処理水を処理してトイレの洗浄用水、庭木の散水用水等の中水として利用する中水利用装置の構成が特開２００１−１３７８７１号に開示されている。この公報では、汚濁物質の濃度の高低に応じて、中水利用装置を含む複数の処理系統を有するハイブリッドタイプの浄化槽が開示されている。
【０００３】
このハイブリッド浄化槽における中水利用装置では、複数の処理槽における処理を経た被処理水が、消毒槽を通じて貯水槽に送られた後、ポンプを用いて中水道排管に放出されるよう構成される。ところで消毒槽には被処理水への消毒剤を充填した薬筒が設定される場合が多いが、被処理水が、浄化槽へ被処理水の利用量以上に流入するような場合、貯水槽内の被処理水の水位が上昇して当該消毒槽が冠水あるいは水没する可能性が生じ得る。この場合、生物処理槽等における処理負荷の観点より、消毒槽の冠水・水没によって薬筒内の消毒剤が上流側処理槽へ流出する可能性を極力抑制する要請がある。またこの場合、薬剤が過剰に溶解し、薬剤保持期間が減少してしまうという可能性もある。
【０００４】
【発明が解決しようとする課題】
本発明は、かかる点に鑑みてなされたものであり、被処理水を消毒するための消毒手段の冠水あるいは水没の可能性を確実に低減するのに有用な技術を提供することを目的とする。
【０００５】
【課題を解決するための手段】
上記課題を達成するため、各請求項記載の発明が構成される。請求項１に記載の発明によれば、処理槽と、当該処理槽を通じて処理された被処理水を消毒する消毒手段と、当該消毒手段によって消毒された被処理水を貯留する貯水槽とがハウジング内に設けられた浄化槽が構成される。ハウジング内に処理槽、消毒手段および貯水槽を有する浄化槽としては、被処理水の汚濁物質濃度の高低を問わず広く各種の浄化槽が該当するが、典型的には中水利用装置、すなわち浴室排水や雨水等といった比較的汚濁物質濃度の低い被処理水を処理してトイレの洗浄用水、庭木の散水用水等の中水として利用する被処理水浄化槽がこれに該当する。
【０００６】
またハウジング内の「処理槽」としては、例えば夾雑物除去槽、嫌気処理槽、好気処理槽、沈殿槽、処理水槽等、被処理水に対する各種の処理を遂行する処理槽の一部または全部が好適に採用可能である。また本発明における「消毒手段」は、例えば塩素系の消毒剤が充填された薬筒によって構成し、消毒剤の散布装置を備えた消毒槽によって構成し、あるいは上記薬筒が設置された消毒槽によって構成するといったように、被処理水を消毒することが可能な形態を広く包含するものとする。
【０００７】
本発明における浄化槽では、上記処理槽によって処理された被処理水を消毒手段へ供給するための被処理水移送手段と、当該被処理水移送手段による消毒手段への被処理水の供給を貯水槽内の被処理水の水位上昇に基づいて規制する作動手段とを有する。本発明における作動手段は、貯水槽内の被処理水によって前記消毒手段が冠水または水没するのを防止するべく、被処理水移送手段による消毒手段への被処理水の供給を規制する。これにより、貯水槽内の被処理水が上昇しても、当該貯水槽内の被処理水によって消毒手段が冠水または水没することを抑制できるため、例えば消毒剤等といった消毒手段側の内容物が処理水槽側に逆流するのを効果的に防止し、水質の悪化や生物処理負荷が増大するのを確実に防止することができる。
【０００８】
本発明における「貯水槽内の被処理水の水位上昇に基づいて被処理水の供給を規制」とは、貯水槽内の被処理水の検知水位に基づいて被処理水の供給を規制する形態、貯水槽内の被処理水の水位の上昇動作自体によって被処理水の供給を規制する形態のいずれもが好適に包含される。前者の場合には、例えば貯水槽内に設けられた水位検知センサと、当該センサに基づいて被処理水の供給をコントロールする流量規制バルブとを適宜組み合わせるといった構成が可能である。また後者の場合には、後述する請求項２に記載の発明のように、被処理水の水位変動によって上下動する作動手段を介して被処理水の供給を規制するといった構成が可能である。
【０００９】
（請求項２に記載の発明）
請求項２に記載の発明によれば、上記請求項１に記載の浄化槽における作動手段につき、貯水槽内の被処理水の水位上昇によって上昇動作するよう構成され、かかる作動手段の上昇動作によって、被処理水移送手段による前記消毒手段への被処理水の供給が規制される。貯水槽内の被処理水の水位上昇によって上昇動作する作動手段としては、例えば貯水槽内の被処理水の水面領域に配置されたフロート部材等を用いて構成するのが好ましい。本発明によれば、貯水槽内の被処理水の水位上昇によって作動手段が上昇動作し、かかる作動手段の上昇動作を介して被処理水移送手段による消毒手段への被処理水供給を規制する構成により、例えば貯水槽内の被処理水の水位をセンサ等で継続的にモニタする必要がなく、簡便にして確実な貯水槽内の水位コントロールが可能となる。
【００１０】
（請求項３に記載の発明）
請求項３に記載の発明によれば、上記請求項１または２に記載の浄化槽における消毒手段が薬筒を有するよう構成する。当該薬筒は、貯水槽の上部側に配置されるとともに、被処理水移送手段を介して供給された被処理水に消毒剤を混入して貯水槽に送る。貯水槽の上部側に薬筒を配置して被処理水の消毒処理を行う構成により浄化槽全体の構造をコンパクトにすることが可能となる。
【００１１】
（請求項４に記載の発明）
請求項４に記載の発明によれば、上記請求項１ないし３に記載の浄化槽において、被処理水移送手段につき可撓部が形成された移送管を有するよう構成し、作動手段につき貯水槽内の被処理水の水位上昇によって上昇動作するフロート部材を有するよう構成する。貯水槽内の被処理水の水位が上昇する場合、当該水位の上昇によってフロート部材が上昇動作し、これによって移送管の可撓部が撓み、移送管による処理槽から消毒手段への被処理水の移送が規制される。上昇動作するフロート部材と移送管の可撓部とはロッド等で連接することが好ましい。
【００１２】
可撓部を撓ませることで被処理水の移送を規制する態様としては、被処理水の水位に応じて可撓部の撓み箇所の高さを変化させて規制する態様、撓み箇所の断面積を変化させて規制する態様等が広く包含される。また被処理水の「移送管の可撓部」の構成として、例えば移送管にフレキシブルに変形可能な蛇腹状の部分を形成することで構成してもよいし、あるいはゴムや軟質樹脂といった材料で可撓部を形成することで構成してもよい。可撓部は例えば移送管の注水側端部など移送管の一部に形成してもよく、あるいは移送管全体を可撓状に形成してもよい。本発明によれば、フロートと移送管の可撓部の撓みの協働により、貯水槽内の被処理水の水位の検知および消毒手段への被処理水の移送コントロールにつき、例えば電気的な水位検知センサやバルブなどを用いる必要がなく、簡便で確実な貯水槽内の水位コントロールが可能となる。
【００１３】
（請求項５に記載の発明）
請求項５に記載の発明によれば、請求項４に記載の浄化槽における移送管の可撓部は、フロート部材によって撓まされた際に、被処理水のオーバーフロー水位よりも高位となるように構成される。可撓部の撓みを利用して、移送管が被処理水のオーバーフロー水位よりも高位となる箇所を有するように設定することで、例えば一時的な浄化槽への大量流入等で被処理水の水位が急激に上昇した場合、被処理水は、移送管の可撓部のうちフロート部材で高位とされた箇所に達する前に、浄化槽のオーバーフロー水位に達して浄化槽外へ流出することになる。
【００１４】
従って消毒手段の冠水あるいは水没が回避され、消毒手段における消毒剤等の内容物が上流側の処理槽に流出することに起因する被処理水の水質悪化や生物処理負荷の増大を一層確実に防止することができる。なお「オーバーフロー水位」の構成としては、例えば、上昇動作するフロート部材によって撓まされた可撓部より低位であるハウジングの所定高さ位置に、浄化槽外部への通水管を配置するなどして、当該通水管の高さに達した被処理水がそれ以上水位上昇することなく浄化槽ハウジング外へ流出するといった態様が採用可能である。
【００１５】
（請求項６に記載の発明）
請求項６に記載の発明によれば、請求項１に記載の浄化槽と実質的に同等の構成を有する浄化槽に関する合理的な使用方法が構成される。もちろん請求項２から５までに記載された各浄化槽の構成要素と実質的に同等の構成要素を付加し、一層合理的な浄化槽の使用方法を提供することも可能である。
【００１６】
【発明の実施の形態】
以下、本発明の実施の形態である浄化槽１０１および当該浄化槽１０１を用いた汚水の処理方法につき、図面を参照しつつ説明する。本実施の形態に係る浄化槽１０１の全体的な構成が図１および図２に模式的に示される。本実施の形態に係る浄化槽１０１は、浄化槽ハウジング１１０内にて処理流路１１１を通じて相互に連接された各処理槽を有する。具体的には被処理水が浄化槽ハウジング１１０内に流入する流入部１１３側から、夾雑物除去槽１２１、嫌気処理槽１２３、生物処理槽１２５、処理水槽１２７、消毒装置１２９および貯水槽１３１の順で配列され、各処理槽にて適宜処理を受けた被処理水は貯水槽１３１から外部へ放流される。
【００１７】
本実施の形態における浄化槽１０１は、各種の汚濁物質濃度を有する被処理水（汚水）に対応することができるが、消毒装置１２９の下流側に貯水槽１３１を配置することで、とりわけ処理された被処理水をトイレの洗浄用水や庭木の散水等のための中水として好適利用することが可能な浄化槽として構成されている。なお中水利用装置として用いる場合、被処理水の汚濁物質濃度が比較的低いことに鑑み、上記夾雑物除去槽１２１、嫌気処理槽１２３等の構成を適宜省略するとともに、曝気槽や沈殿槽等を適宜配置して構成することも可能である。
【００１８】
流入部１１３を通じて浄化槽ハウジング１１０内に流入した被処理水については、まず夾雑物除去槽１２１において、被処理水中の固形物等の夾雑物が固液分離されて当該被処理水から除去処理される。
【００１９】
夾雑物除去槽１２１で処理された被処理水は、次に嫌気処理槽１２３へ移送される。嫌気処理槽１２３内には、特に図示しないものの、有機汚濁物を嫌気処理（還元処理）する嫌気性微生物が付着した濾材が設けられており、被処理水中の有機汚濁物が当該嫌気処理槽１２３内の嫌気性微生物によって適宜嫌気処理されることになる。
【００２０】
嫌気処理槽１２３において嫌気処理された被処理水は、次に生物処理槽１２５に移送される。生物処理槽１２５内には、特に図示しないものの、粒状担体が流動可能に充填された生物処理領域が形成されている。粒状担体は、例えば中空円筒状に形成されるとともに、有機汚濁物を好気処理（酸化処理）する好気性微生物を多数付着させている。そして通常運転時においては、生物処理領域に散気エアを供給して好気処理を遂行する。
【００２１】
嫌気処理槽１２３における嫌気処理、および生物処理槽１２５における好気処理を経た被処理水は、移送流路１１１を通じて処理水槽１２７に送られる。本実施の形態における処理水槽１２７は被処理水における固液分離槽としての機能を併有する要素であり、当該処理水槽１２７において固形成分の沈降が促され、これによって被処理水の沈静化が行われる。次に処理水槽１２７内の被処理水は被処理水移送管１５５を通じて消毒装置１２９に送られる。消毒装置１２９において消毒処理を受けた被処理水は、貯水槽に貯水され、当該貯水の際に固形成分の更なる沈降が促され、可能な限り清澄化された被処理水が放出部１３５を通じて浄化槽１０１の槽外に放出される。放出に際しては、特に図示しないもののエアリフトポンプや水中設置式ポンプ等を適宜用いることが可能である。浄化槽１０１外へ放出された被処理水は、中水としてトイレ排水や庭木への散水等で再利用が図られる。なお、処理水槽１２７内の被処理水の一部をエアリフトポンプ等によって夾雑物除去槽１２１等の上流側処理槽に還流し、再度上流側より処理を受ける構成としてもよい。
【００２２】
処理水槽１２７，被処理水移送管１５５，消毒装置１２９，貯水槽１３１の詳細な構造が図３に示される。図３に示すように、被処理水移送管１５５は、処理水槽１２７内の被処理水１２７ａを消毒装置１２９へ移送するために用いられる部材であり、後述するフロート部材１６１（および連接部１６３）の上下動によって上下方向に撓むことが可能な蛇腹状の可撓部１５７を有する。図３では、可撓部１５７が斜め下方に撓むことで、被処理水移流管１５５の注水口１５５ａが処理水槽１２７内の被処理水１２７ａの水位ＷＬ以下に位置した状態が示される。
【００２３】
消毒装置１２９は、処理水槽１２７と貯水槽１３１とを区画する区画壁１５０に配置された設置ブラケット１５３上に薬筒１５１を配置することにより、貯水槽１３１の上方側に形成される。薬筒１５１内には塩素系などの消毒剤が充填される。消毒装置１２９内の被処理水１２９ａは、被処理水移送管１５５によって処理水槽１２７から送られるとともに、薬筒１５１に収容された消毒剤によって消毒された上で、落下水１２９ｂとして貯水槽１３１に送られる。
【００２４】
貯水槽１３１内の被処理水１３１ａの水面にはフロート部材１６１が設けられている。フロート部材１６１は、浮上性の材質で形成され、被処理水１３１ａの水面に浮かび、当該被処理水１３１ａの水位の上下動とともに上下動するよう構成される。フロート部材１６１と上記被処理水移送管１５５の可撓部１５７とは連接部１６３によって接続されている。従って貯水槽１３１内の被処理水１３１ａの水位が上昇すると、フロート部材１６１は連接部１６３とともに上昇動作し、上昇動作する連接部１６３を介して可撓部１５７が上方に撓み、注水口１５５ａが斜め上方を向くよう構成される。また貯水槽１３１内の被処理水１３１ａの水位が下向すると、フロート部材１６１は連接部１６３とともに下向動作し、下向動作する連接部１６３を介して可撓部１５７が下方に撓み、注水口１５５ａが斜め下方を向くよう構成される。
【００２５】
次に、上記のように構成される本実施の形態に係る浄化槽１０１に関し、その作用および使用方法について詳細に説明する。既に述べたように、図１および図２に示す流入部１１３を通じて浄化槽ハウジング１１０内に流入した被処理水は、夾雑物除去槽１２１において固液分離による夾雑物の除去処理を受け、嫌気処理槽１２３において嫌気処理を受け、生物処理槽１２５において好気処理を受け、さらに処理水槽１２７における沈静化処理を受ける。
【００２６】
図３に示すように、処理水槽１２７内の被処理水１２７ａは、被処理水移送管１５５を通じて消毒装置１２９に送られる。浄化槽１０１を通常状態で運転する場合、貯水槽１３１内の被処理水１３１ａの水位はそれ程上昇しない状態を維持する。このためフロート部材１６１および連接部１６３はそれ程大きく上昇せず、この結果として、可撓部１５７は上方に撓まず、被処理水移送管１５５の注水口１５５ａが処理水槽１２７の被処理水１２７ａの水位ＷＬよりも上位に位置しないように構成される。これにより処理水槽１２７内の被処理水１２７ａは被処理水移送管１５５を通じて消毒装置１２９に供給可能とされる。消毒装置１２９内の被処理水１２９ａは、薬筒１５１内の消毒剤による消毒処理を経た上で、消毒装置１２９下方に位置する貯水槽１３１に送られる。貯水槽１３１内の被処理水１３１ａは、当該貯水槽１３１内に暫時静置されて更なる固液分離が促進されることとなる。
【００２７】
ところで実際に浄化槽１０１を敷設して常用に供する場合、被処理水の利用量以上に被処理水が浄化槽１０１内に流入する場合があり得る。このような場合、図３に示す貯水槽１３１内の被処理水１３１ａの水位が上昇して消毒装置１２９が当該被処理水１３１ａによって冠水あるいは水没してしまう可能性が生じ得る。消毒装置１２９よりも下流側の貯水槽１３１の水位上昇によって消毒装置１２９が冠水または水没した場合、薬筒１５１内に充填された消毒剤が増水した被処理水１３１ａに流出することになるが、被処理水は下流側処理槽である貯水槽１３１にもはや流通できない状態のため、消毒剤が混入した被処理水１３１ａが上流側処理槽である処理水槽１２７あるいは生物処理槽１２５等へと流れ込む可能性がある。この場合、消毒剤を含む被処理水による水質の悪化、さらに消毒剤を含んだ被処理水を生物処理槽１２５で処理することによる生物処理槽１２５の微生物量の減少、死滅を回避する必要がある。
【００２８】
このため本実施の形態では、図４に示すように、貯水槽１３１内の被処理水１３１ａが警戒水位ＡＷＬ（ＡＬＡＲＭ　ＷＡＴＥＲ−ＬＥＶＥＬ）まで上昇した場合、かかる被処理水１３１ａとともに上昇するフロート部材１６１および連接部１６３により、被処理水移送管１５５の可撓部１５７が上方に撓み、これによって被処理水移送管１５５の注水口１５５ａが処理水槽１２７内の被処理水１２７ａの水位ＷＬよりも高位に位置するように設定される。これにより処理水槽１２７内の被処理水１２７ａは被処理水移送管１５５を通じて消毒装置１２９へ供給されなくなるため、消毒装置１２９から下流側の貯水槽１３１への被処理水１２９ａの流通が規制され、これにより貯水槽１３１内の被処理水１３１ａが警戒水位ＡＷＬ以上に水位上昇することを防止できる。
【００２９】
さらに被処理水が浄化槽１０１へ継続して流入する場合、図５に示すように、処理水槽１２７内の被処理水１２７ａが浄化槽１０１のオーバーフロー流出部１７１の水位（オーバーフロー水位ＯＦＷＬ：ＯＶＥＲＦＬＯＷ　ＷＡＴＥＲ−ＬＩＮＥ）に達する。オーバーフロー流出部１７１は、極端な増水時に浄化槽内の被処理水を槽外に放出するための非常時対応手段である。オーバーフロー流出部１７１は、可撓部１５５が上方に撓んだ状態における被処理水移送管１５５の注水口１５５ａよりも低位に位置するよう設定される。以上の構成により、オーバーフロー水位ＯＦＷＬに達した被処理水は強制的に浄化槽１０１外に排出されることとなるため、当該オーバーフロー水位ＯＦＷＬは浄化槽１０１における上限水位高さを規定することになる。
【００３０】
以上より本実施の形態では、貯水槽１３１内の被処理水１３１ａの水位が警戒水位ＡＷＬに達し、被処理水１３１ａの水位上昇とともに上昇したフロート部材１６１および連接部１６３によって可撓部１５７が上方に撓んだ状態の被処理水移送管１５５に関し、処理水槽１２７内の被処理水１２７ａは、当該被処理水移送管１５５の注水可能水位に達する前に、浄化槽１０１のオーバーフロー水位ＯＦＷＬに達するよう構成される。
【００３１】
以上より、本実施の形態に係る浄化槽１０１では、貯水槽１３１内の被処理水１３１ａの水位上昇により可撓部１５７が上方に撓み被処理水の流通が規制された場合には、処理水槽１２７内の被処理水１２７ａは一層高位に位置する被処理水移送管１５５に流通されず、消毒装置１２９およびその下流側の貯水槽１３１への被処理水の供給が規制される。
【００３２】
さらに処理水槽１２７内の被処理水１２７ａの水位が上昇しようとすれば、処理水槽１２７内の被処理水１２７ａは、被処理水移送管１５５を流通する前にオーバーフロー水位ＯＦＷＬに達して浄化槽１０１外へ放出されるので、貯水槽１３１内の被処理水１３１ａの水位が警戒水位ＡＷＬを超えて上昇することを確実に抑制し、この結果、消毒装置１２９（薬筒１５１）の冠水または水没を効果的に防止することが可能となる。従って本実施の形態によれば、薬筒１５１内の消毒剤が処理水槽１２７および生物処理槽１２５へ流出することを確実に防止し、生物処理槽における処理負荷が徒らに上昇するのを防止することができる。
【００３３】
なお上記したオーバーフロー流出部１７１は、図示の便宜上処理水槽１２７に配置しているが、処理水槽１２７とともに他の上流側処理槽（生物処理槽１２５等）に配置してもよく、あるいは処理水槽１２７には配置せず、他の上流側処理槽のみに配置する態様を採用してもよい。
【００３４】
なお、かかるオーバーフロー流出部１７１につき、消毒装置１２９よりも上流側の処理槽ではなく、下流側に位置する貯水槽１３１の所定高さに設け、被処理水１３１ａが消毒装置１２９に達する前に貯水槽１３１の外部にオーバーフローさせることで消毒装置１２９の冠水・水没を防止する構成も考えられる。しかしながら、かかる構成は、本実施の形態と比較した場合、消毒装置１２９の設置高さよりも下位のオーバーフロー水位を基準として各処理槽の水位を設定する必要があり、浄化槽全体の限界水位が低くなる傾向が生じ、浄化槽設計の自由度に制約が生じ得る。また消毒剤を含んだ被処理水がオーバーフローすることにより、当該オーバーフロー水を更に処理する場合に悪影響が生じ得る。さらに消毒装置１２９の通過水量が多くなるため薬剤消耗量が多くなり、また生物処理槽１２５通過水量が多くなるため生物処理槽１２５の負荷が上昇することにもなる。
【００３５】
消毒装置１２９（消毒手段）の冠水あるいは水没を防止するという本実施の形態（本発明）の趣旨に鑑みた場合、上記した被処理水移送管１５５の可撓部１５７は、貯水槽１３１内の被処理水１３１ａの水位上昇に基づいて上方に撓むことで、処理水槽１２７内の被処理水１２７ａの水位よりも高位に位置し得る構成であれば足りる。従って図６に示すように被処理水移送管２５５の中間領域に可撓部２５７を形成し、これを特に図示しないフロート部材に連結した連接部２６３に接続して上方に可撓状態とする構成が可能である。この場合、中間領域の可撓部２５７が、処理水槽１２７におけるオーバーフロー流出部１７１の水位（ＯＦＷＬ：図５参照）よりも高位となるように設定することが好ましい。
【００３６】
本実施の形態では、処理水槽１２７から消毒装置１２９および貯水槽１３１への被処理水の供給につき、貯水槽１３１内の被処理水１３１ａの水位上昇によって上昇するフロート部材１６１を介して、被処理水移送管１５５の可撓部１５７を上方に撓ませることで規制する構成としたが、これを適宜変更することが可能である。例えば貯水槽１３１内の被処理水１３１ａの水位をセンサで検知する形態、処理水槽１２７と消毒装置１２９との流通箇所にバルブを配置し、当該バルブを電気的信号によって開閉制御することで、処理水槽１２７内の被処理水１２７ａが消毒装置１２９に供給されるのを規制する形態等を適宜組み合わせて構成することが可能である。
【００３７】
また被処理水の供給規制を被処理水移送管の可撓部を撓ませることで行う場合、可撓部は上記のように蛇腹状部材で構成する以外に、例えば管体を軟質樹脂で形成するなどして構成してもよい。また本実施の形態では、フロート部材の上昇動作によって可撓部が上方に撓むことで被処理水の供給規制を行ったが、例えばフロート部材の上昇動作によって可撓部が絞られ、当該可撓部の断面積が減少することで被処理水の供給規制を行う形態、可撓部を上方に撓ませつつ当該可撓部の断面積を減少させる形態などを採用することも可能である。
【００３８】
さらに被処理水の供給につき、被処理水移送用の「管」を用いず、例えば処理水槽１２７と消毒装置１２９との間の区画部に形成した被処理水流通孔を利用するような形態の場合には、貯水槽１３１の水位上昇に基づいて当該流通孔の流通断面を閉鎖ないし減少することで被処理水の供給規制を行うといった構成も可能である。
【００３９】
【発明の効果】
本発明によれば、被処理水を消毒するための消毒手段の冠水あるいは水没の可能性を確実に低減するのに有用な技術が提供されることとなった。
【図面の簡単な説明】
【図１】本発明の実施の形態に係る浄化槽の全体構成を模式的に示す。
【図２】同じく本発明の実施の形態に係る浄化槽の全体構成を模式的に示す。
【図３】本実施の形態における処理水槽、消毒装置および貯水槽の構成を示す部分図である。
【図４】貯水槽の水位の上昇により被処理水移送管の可撓部を上方に撓ませた状態を示す。
【図５】処理水槽内の被処理水が被処理水移送管に通じる前にオーバーフロー水位に達する状態を示す。
【図６】被処理水移送管における可撓部の構成の変更例を示す。
【符号の説明】
１０１　浄化槽
１１０　浄化槽ハウジング
１１１　処理流路
１１３　流入部
１２１　夾雑物除去槽
１２３　嫌気処理槽
１２５　生物処理槽
１２７　処理水槽
１２９　消毒装置
１３１　貯水槽
１３５　放出部
１５０　区画壁
１５１　薬筒
１５３　設置ブラケット
１５５　被処理水移送管（被処理水移送手段）
１５５ａ　注水口
１５７　可撓部
１６１　フロート部材
１６３　連接部
１７１　オーバーフロー流出部
【図１】
2004097904.tif 000003
【図２】
2004097904.tif 000004
【図３】
2004097904.tif 000005
【図４】
2004097904.tif 000006
【図５】
2004097904.tif 000007
【図６】
2004097904.tif 000008